(57)【要約】【課題】インターネットによるソファ販売サイトによりソファを販売する際に、購買者に対して実際のソファを十分にイメージすることができる装置や方法を提供する。【解決手段】生地選択画面Ｇ４には、上部に選択情報保持欄１１０が設けられ、また、下部に、画像表示部１７２ａと、チェック入力部１７２ｂと、名称表示部１７２ｃと、カラー表示部１７２ｄとを有する個別表示欄１７２が複数設けられた生地表示欄１７０が設けられ、チェック入力部１７２ｂにチェックを入れることにより、選択情報保持欄１１０の主表示部１２２に生地の画像を表示させ、副表示部１２４にチェックマークが入った状態とする。【選択図】図１０
2008065568.tif 000002
【特許請求の範囲】
【請求項１】
ソファに用いる生地のサンプルをユーザ側端末から請求することができるサーバコンピュータであって、
選択可能な生地のデータを表示するとともに、該生地をユーザ側端末から選択可能な生地選択画面で、ユーザが選択した生地のデータを保持して表示する選択情報保持欄を有する生地選択画面をユーザ側端末に表示するために、該生地選択画面のデータをユーザ側端末に送信する生地選択画面データ送信手段と、
ユーザが、ユーザ側端末に表示された生地選択画面において、生地を選択した場合に、選択された生地を特定するためのデータが選択情報保持欄に表示された第２生地選択画面をユーザ側端末に表示するために、該第２生地選択画面のデータをユーザ側端末に送信する第２生地選択画面データ送信手段と、
ユーザが、ユーザ側端末に表示された第２生地選択画面において、生地のサンプルを請求する操作を行った場合に、少なくとも選択された生地のデータを登録する登録手段と、
を有することを特徴とするサーバコンピュータ。
【請求項２】
ソファに用いる生地のサンプルをユーザ側端末から請求することができるサーバコンピュータであって、
複数の生地について、少なくともそのランクと、色と、機能のデータを各生地ごとに記憶する記憶手段と、
ユーザ側端末からの指示に従い、記憶手段に記憶された生地から検索を行い、検索された生地を選択可能な生地としてそのデータを表示するとともに、該生地をユーザ側端末から選択可能な生地選択画面で、ユーザが選択した生地のデータを保持して表示する選択情報保持欄を有する生地選択画面をユーザ側端末に表示するために該生地選択画面のデータをユーザ側端末に送信する生地選択画面データ送信手段と、
ユーザが、ユーザ側端末に表示された生地選択画面において、生地を選択した場合に、選択された生地を特定するためのデータが選択情報保持欄に表示された第２生地選択画面をユーザ側端末に表示するために、該第２生地選択画面のデータをユーザ側端末に送信する第２生地選択画面データ送信手段と、
ユーザが、ユーザ側端末に表示された第２生地選択画面において、生地のサンプルを請求する操作を行った場合に、少なくとも選択された生地のデータを登録する登録手段と、
を有することを特徴とするサーバコンピュータ。
【請求項３】
上記選択情報保持欄には、選択された生地の画像データが表示されることを特徴とする請求項１又は２に記載のサーバコンピュータ。
【請求項４】
上記選択情報保持欄には、選択された生地ごとにデータを表示するための選択情報表示部を有し、選択情報表示部は、主表示部と副表示部とを有し、主表示部は、生地データが表示されない場合には、数字又は記号が表示され、生地データが表示される場合には、選択された生地の画像データが表示され、また、副表示部は、生地データが表示されない場合には、空欄で表示され、生地データが表示される場合には、チェックマークが表示されることを特徴とする請求項１又は２又は３に記載のサーバコンピュータ。
【請求項５】
登録手段は、ユーザからの指示に従い、ユーザの住所、名前等ユーザを特定するためのデータを登録することを特徴とする請求項１又は２又は３又は４に記載のサーバコンピュータ。
【請求項６】
ユーザが、ユーザ側端末に表示された生地選択画面において、生地を選択した場合に、選択された生地のデータを保持する保持手段を有し、
登録手段は、保持手段に保持されたデータに従い、選択された生地のデータを登録することを特徴とする請求項１又は２又は３又は４又は５に記載のサーバコンピュータ。
【請求項７】
サーバコンピュータにより、ソファに用いる生地のサンプルをユーザ側端末から請求するソファ用サンプル提供方法であって、
選択可能な生地のデータを表示するとともに、該生地をユーザ側端末から選択可能な生地選択画面で、ユーザが選択した生地のデータを保持して表示する選択情報保持欄を有する生地選択画面をユーザ側端末に表示するために、該生地選択画面のデータをユーザ側端末に送信する生地選択画面データ送信工程と、
ユーザが、ユーザ側端末に表示された生地選択画面において、生地を選択した場合に、選択された生地を特定するためのデータが選択情報保持欄に表示された第２生地選択画面をユーザ側端末に表示するために、該第２生地選択画面のデータをユーザ側端末に送信する第２生地選択画面データ送信工程と、
ユーザが、ユーザ側端末に表示された第２生地選択画面において、生地のサンプルを請求する操作を行った場合に、少なくとも選択された生地のデータを登録する登録工程と、
を有することを特徴とするソファ用サンプル提供方法。
【請求項８】
サーバコンピュータにより、ソファに用いる生地のサンプルをユーザ側端末から請求するソファ用サンプル提供方法であって、
ユーザ側端末からの指示に従い、複数の生地について、少なくともそのランクと、色と、機能のデータを各生地ごとに記憶する記憶手段に記憶された生地から検索を行い、検索された生地を選択可能な生地としてそのデータを表示するとともに、該生地をユーザ側端末から選択可能な生地選択画面で、ユーザが選択した生地のデータを保持して表示する選択情報保持欄を有する生地選択画面をユーザ側端末に表示するために該生地選択画面のデータをユーザ側端末に送信する生地選択画面データ送信工程と、
ユーザが、ユーザ側端末に表示された生地選択画面において、生地を選択した場合に、選択された生地を特定するためのデータが選択情報保持欄に表示された第２生地選択画面をユーザ側端末に表示するために、該第２生地選択画面のデータをユーザ側端末に送信する第２生地選択画面データ送信工程と、
ユーザが、ユーザ側端末に表示された第２生地選択画面において、生地のサンプルを請求する操作を行った場合に、少なくとも選択された生地のデータを登録する登録工程と、
を有することを特徴とするソファ用サンプル提供方法。
【発明の詳細な説明】
【技術分野】
【０００１】
本発明は、ソファをインターネット等により通信販売する際に用いるサーバコンピュータに関するものであり、また、ソファを通信販売する際に購買者の参考とするためのサンプルを提供する方法に関するものである。
【背景技術】
【０００２】
従来より、各種商品が通信販売により販売されており、ソファもインターネット等の通信販売により販売されるようになってきている。
【０００３】
例えば、インターネットのサイトでソファを販売する場合に、販売者は、ソファの形状、大きさ、素材等の各種情報をサイトに表示させて、購買者が購買するソファを選択する際の参考になるようにしている。
【０００４】
なお、出願人は、先行技術文献の調査は行っておらず、記載すべき先行技術文献は存在しない。
【発明の開示】
【発明が解決しようとする課題】
【０００５】
しかし、ソファに関する各種情報をサイトの画面に表示しても、実際のソファを触ることができないため、購買者にとっては実際のソファを十分にイメージすることができず、ソファを選択する際に実際のソファを十分にイメージすることができるようにすることが望まれていた。
【０００６】
そこで、本発明は、インターネットによるソファ販売サイトによりソファを販売する際に、購買者に対して実際のソファを十分にイメージすることができる装置や方法を提供することを目的とするものである。
【課題を解決するための手段】
【０００７】
本発明は上記問題点を解決するために創作されたものであって、第１には、ソファに用いる生地のサンプルをユーザ側端末から請求することができるサーバコンピュータであって、選択可能な生地のデータを表示するとともに、該生地をユーザ側端末から選択可能な生地選択画面で、ユーザが選択した生地のデータを保持して表示する選択情報保持欄を有する生地選択画面をユーザ側端末に表示するために、該生地選択画面のデータをユーザ側端末に送信する生地選択画面データ送信手段と、ユーザが、ユーザ側端末に表示された生地選択画面において、生地を選択した場合に、選択された生地を特定するためのデータが選択情報保持欄に表示された第２生地選択画面をユーザ側端末に表示するために、該第２生地選択画面のデータをユーザ側端末に送信する第２生地選択画面データ送信手段と、ユーザが、ユーザ側端末に表示された第２生地選択画面において、生地のサンプルを請求する操作を行った場合に、少なくとも選択された生地のデータを登録する登録手段と、を有することを特徴とする。
【０００８】
この第１の構成のサーバコンピュータにおいては、生地選択画面データ送信手段が生地選択画面のデータをユーザ側端末に送信すると、ユーザ側端末には、選択可能な生地のデータを表示するとともに、該生地をユーザ側端末から選択可能な生地選択画面で、ユーザが選択した生地のデータを保持して表示する選択情報保持欄を有する生地選択画面が表示される。そして、ユーザが、生地選択画面において生地を選択すると、第２生地選択画面データ送信手段が、第２生地選択画面のデータをユーザ側端末に送信し、ユーザ側端末には、選択された生地を特定するためのデータが選択情報保持欄に表示された第２生地選択画面が表示される。そして、ユーザが、ユーザ側端末に表示された第２生地選択画面において、生地のサンプルを請求する操作を行った場合に、登録手段が、選択された生地のデータを登録する。サーバコンピュータの管理者は、登録された生地のデータに従い、生地のサンプルをユーザに送る。よって、本発明のサーバコンピュータによれば、ソファに用いる生地のサンプルをユーザが請求して入手することができるので、購買者であるユーザは、実際のソファを十分にイメージすることができる。また、生地選択画面には、選択情報保持欄が設けられていて、この選択情報保持欄を見ることにより、選択した生地を把握できるので、誤って同一の生地を請求したり、希望する生地を請求し忘れたりすることがない。
【０００９】
また、第２には、ソファに用いる生地のサンプルをユーザ側端末から請求することができるサーバコンピュータであって、複数の生地について、少なくともそのランクと、色と、機能のデータを各生地ごとに記憶する記憶手段と、ユーザ側端末からの指示に従い、記憶手段に記憶された生地から検索を行い、検索された生地を選択可能な生地としてそのデータを表示するとともに、該生地をユーザ側端末から選択可能な生地選択画面で、ユーザが選択した生地のデータを保持して表示する選択情報保持欄を有する生地選択画面をユーザ側端末に表示するために該生地選択画面のデータをユーザ側端末に送信する生地選択画面データ送信手段と、ユーザが、ユーザ側端末に表示された生地選択画面において、生地を選択した場合に、選択された生地を特定するためのデータが選択情報保持欄に表示された第２生地選択画面をユーザ側端末に表示するために、該第２生地選択画面のデータをユーザ側端末に送信する第２生地選択画面データ送信手段と、ユーザが、ユーザ側端末に表示された第２生地選択画面において、生地のサンプルを請求する操作を行った場合に、少なくとも選択された生地のデータを登録する登録手段と、を有することを特徴とする。
【００１０】
この第２の構成のサーバコンピュータにおいては、ユーザ側端末からの指示に従い、記憶手段に記憶された生地の検索が行われ、生地選択画面データ送信手段は、生地選択画面のデータをユーザ側端末に送信する。すると、ユーザ側端末には、検索された生地を選択可能な生地としてそのデータを表示するとともに、該生地をユーザ側端末から選択可能な生地選択画面で、ユーザが選択した生地のデータを保持して表示する選択情報保持欄を有する生地選択画面が表示される。そして、ユーザが、生地選択画面において生地を選択すると、第２生地選択画面データ送信手段が、第２生地選択画面のデータをユーザ側端末に送信し、ユーザ側端末には、選択された生地を特定するためのデータが選択情報保持欄に表示された第２生地選択画面が表示される。そして、ユーザが、ユーザ側端末に表示された第２生地選択画面において、生地のサンプルを請求する操作を行った場合に、登録手段が、選択された生地のデータを登録する。サーバコンピュータの管理者は、登録された生地のデータに従い、生地のサンプルをユーザに送る。よって、本発明のサーバコンピュータによれば、ソファに用いる生地のサンプルをユーザが請求して入手することができるので、購買者であるユーザは、実際のソファを十分にイメージすることができる。また、生地選択画面には、選択情報保持欄が設けられていて、この選択情報保持欄を見ることにより、選択した生地を把握できるので、誤って同一の生地を請求したり、希望する生地を請求し忘れたりすることがない。また、記憶手段に記憶された生地を検索するので、ユーザは所望の生地を探すのに便利となる。
【００１１】
なお、上記第２の構成を以下のようにしてもよい。すなわち、「ソファに用いる生地のサンプルをユーザ側端末から請求することができるサーバコンピュータであって、複数の生地について、少なくともそのランクと、色と、機能のデータと、該生地の画像データを各生地ごとに記憶する生地データ記憶手段と、選択可能な生地を表示するとともに、該生地をユーザ側端末から選択可能な生地選択画面で、ユーザが選択した生地のデータを保持して表示する選択情報保持欄を有する生地選択画面のデータを記憶する生地選択画面データ記憶手段と、ユーザ側端末からの指示に従い、生地データ記憶手段に記憶された生地から検索を行う検索手段と、検索手段により検索した生地の画像データを生地データ記憶手段から読み出して、生地選択画面データ記憶手段に記憶された生地選択画面のデータに選択可能な生地として添付して、表示用の生地選択画面のデータを作成する作成手段と、作成手段により作成された表示用の生地選択画面をユーザ側端末に表示するために、該生地選択画面のデータをユーザ側端末に送信する生地選択画面データ送信手段と、ユーザが、ユーザ側端末に表示された生地選択画面において、生地を選択した場合に、選択された生地を特定するためのデータが選択情報保持欄に表示された第２生地選択画面のデータを作成する第２作成手段と、第２作成手段により作成された表示用の生地選択画面をユーザ側端末に表示するために、該第２生地選択画面のデータをユーザ側端末に送信する第２生地選択画面データ送信手段と、ユーザが、ユーザ側端末に表示された第２生地選択画面において、生地のサンプルを請求する操作を行った場合に、少なくとも選択された生地のデータを登録する登録手段と、を有することを特徴とするサーバコンピュータ。」としてもよい。
【００１２】
また、第３には、上記第１又は第２の構成において、上記選択情報保持欄には、選択された生地の画像データが表示されることを特徴とする。これにより、ユーザが自身が選択した生地を把握しやすくすることができる。
【００１３】
また、第４には、上記第１から第３までのいずれかの構成において、上記選択情報保持欄には、選択された生地ごとにデータを表示するための選択情報表示部を有し、選択情報表示部は、主表示部と副表示部とを有し、主表示部は、生地データが表示されない場合には、数字又は記号が表示され、生地データが表示される場合には、選択された生地の画像データが表示され、また、副表示部は、生地データが表示されない場合には、空欄で表示され、生地データが表示される場合には、チェックマークが表示されることを特徴とする。この主表示部により、ユーザが自身が選択した生地を把握しやすくすることができ、また、副表示部により、チェックマークが入っていることによりその生地が選択済みであることを確認することができる。
【００１４】
また、第５には、上記第１から第４までのいずれかの構成において、登録手段は、ユーザからの指示に従い、ユーザの住所、名前等ユーザを特定するためのデータを登録することを特徴とする。
【００１５】
また、第６には、上記第１から第５までのいずれかの構成において、ユーザが、ユーザ側端末に表示された生地選択画面において、生地を選択した場合に、選択された生地のデータを保持する保持手段を有し、登録手段は、保持手段に保持されたデータに従い、選択された生地のデータを登録することを特徴とする。
【００１６】
また、第７には、サーバコンピュータにより、ソファに用いる生地のサンプルをユーザ側端末から請求するソファ用サンプル提供方法であって、選択可能な生地のデータを表示するとともに、該生地をユーザ側端末から選択可能な生地選択画面で、ユーザが選択した生地のデータを保持して表示する選択情報保持欄を有する生地選択画面をユーザ側端末に表示するために、該生地選択画面のデータをユーザ側端末に送信する生地選択画面データ送信工程と、ユーザが、ユーザ側端末に表示された生地選択画面において、生地を選択した場合に、選択された生地を特定するためのデータが選択情報保持欄に表示された第２生地選択画面をユーザ側端末に表示するために、該第２生地選択画面のデータをユーザ側端末に送信する第２生地選択画面データ送信工程と、ユーザが、ユーザ側端末に表示された第２生地選択画面において、生地のサンプルを請求する操作を行った場合に、少なくとも選択された生地のデータを登録する登録工程と、を有することを特徴とする。
【００１７】
この第７の構成によれば、サーバコンピュータの管理者が、登録された生地のデータに従い、生地のサンプルをユーザに送ることにより、ソファに用いる生地のサンプルをユーザが請求して入手することができるので、購買者であるユーザは、実際のソファを十分にイメージすることができる。また、生地選択画面には、選択情報保持欄が設けられていて、この選択情報保持欄を見ることにより、選択した生地を把握できるので、誤って同一の生地を請求したり、希望する生地を請求し忘れたりすることがない。
【００１８】
また、第８には、サーバコンピュータにより、ソファに用いる生地のサンプルをユーザ側端末から請求するソファ用サンプル提供方法であって、ユーザ側端末からの指示に従い、複数の生地について、少なくともそのランクと、色と、機能のデータを各生地ごとに記憶する記憶手段に記憶された生地から検索を行い、検索された生地を選択可能な生地としてそのデータを表示するとともに、該生地をユーザ側端末から選択可能な生地選択画面で、ユーザが選択した生地のデータを保持して表示する選択情報保持欄を有する生地選択画面をユーザ側端末に表示するために該生地選択画面のデータをユーザ側端末に送信する生地選択画面データ送信工程と、ユーザが、ユーザ側端末に表示された生地選択画面において、生地を選択した場合に、選択された生地を特定するためのデータが選択情報保持欄に表示された第２生地選択画面をユーザ側端末に表示するために、該第２生地選択画面のデータをユーザ側端末に送信する第２生地選択画面データ送信工程と、ユーザが、ユーザ側端末に表示された第２生地選択画面において、生地のサンプルを請求する操作を行った場合に、少なくとも選択された生地のデータを登録する登録工程と、を有することを特徴とする。
【００１９】
この第８の構成によれば、サーバコンピュータの管理者が、登録された生地のデータに従い、生地のサンプルをユーザに送ることにより、ソファに用いる生地のサンプルをユーザが請求して入手することができるので、購買者であるユーザは、実際のソファを十分にイメージすることができる。また、生地選択画面には、選択情報保持欄が設けられていて、この選択情報保持欄を見ることにより、選択した生地を把握できるので、誤って同一の生地を請求したり、希望する生地を請求し忘れたりすることがない。また、記憶手段に記憶された生地を検索するので、ユーザは所望の生地を探すのに便利となる。
【００２０】
なお、上記第８の構成を以下のようにしてもよい。すなわち、「ソファに用いる生地のサンプルをユーザ側端末から請求することができるサーバコンピュータであって、ユーザ側端末からの指示に従い、複数の生地について、少なくともそのランクと、色と、機能のデータと、該生地の画像データを各生地ごとに記憶する生地データ記憶手段に記憶された生地から検索を行う検索工程と、検索工程により検索した生地の画像データを生地データ記憶手段から読み出して、選択可能な生地を表示するとともに、該生地をユーザ側端末から選択可能な生地選択画面で、ユーザが選択した生地のデータを保持して表示する選択情報保持欄を有する生地選択画面のデータを記憶する生地選択画面データ記憶手段に記憶された生地選択画面のデータに選択可能な生地として添付して、表示用の生地選択画面のデータを作成する作成工程と、作成工程により作成された表示用の生地選択画面をユーザ側端末に表示するために、該生地選択画面のデータをユーザ側端末に送信する生地選択画面データ送信工程と、ユーザが、ユーザ側端末に表示された生地選択画面において、生地を選択した場合に、選択された生地を特定するためのデータが選択情報保持欄に表示された第２生地選択画面のデータを作成する第２作成工程と、第２作成工程により作成された表示用の生地選択画面をユーザ側端末に表示するために、該第２生地選択画面のデータをユーザ側端末に送信する第２生地選択画面データ送信工程と、ユーザが、ユーザ側端末に表示された第２生地選択画面において、生地のサンプルを請求する操作を行った場合に、少なくとも選択された生地のデータを登録する登録工程と、を有することを特徴とするサーバコンピュータ。」としてもよい。
【００２１】
また、以下の構成としてもよい。すなわち、第９には、上記第７又は第８の構成において、上記選択情報保持欄には、選択された生地の画像データが表示されることを特徴とする。これにより、ユーザが自身が選択した生地を把握しやすくすることができる。
【００２２】
また、第１０には、上記第７から第９までのいずれかの構成において、上記選択情報保持欄には、選択された生地ごとにデータを表示するための選択情報表示部を有し、選択情報表示部は、主表示部と副表示部とを有し、主表示部は、生地データが表示されない場合には、数字又は記号が表示され、生地データが表示される場合には、選択された生地の画像データが表示され、また、副表示部は、生地データが表示されない場合には、空欄で表示され、生地データが表示される場合には、チェックマークが表示されることを特徴とする。この主表示部により、ユーザが自身が選択した生地を把握しやすくすることができ、また、副表示部により、チェックマークが入っていることによりその生地が選択済みであることを確認することができる。
【００２３】
また、第１１には、上記第７から第１０までのいずれかの構成において、登録工程において、ユーザからの指示に従い、ユーザの住所、名前等ユーザを特定するためのデータを登録することを特徴とする。
【００２４】
また、第１２には、上記第７から第１１までのいずれかの構成において、ユーザが、ユーザ側端末に表示された生地選択画面において、生地を選択した場合に、選択された生地のデータを保持する保持工程を有し、登録工程においては、保持工程において保持されたデータに従い、選択された生地のデータを登録することを特徴とする。
【発明の効果】
【００２５】
本発明に基づくサーバコンピュータ及びソファ用サンプル提供方法によれば、ソファに用いる生地のサンプルをユーザが請求して入手することができるので、購買者であるユーザは、実際のソファを十分にイメージすることができる。また、生地選択画面には、選択情報保持欄が設けられていて、この選択情報保持欄を見ることにより、選択した生地を把握できるので、誤って同一の生地を請求したり、希望する生地を請求し忘れたりすることがない。
【発明を実施するための最良の形態】
【００２６】
本発明においては、インターネットによるソファ販売サイトによりソファを販売する際に、購買者に対して実際のソファを十分にイメージすることができる装置や方法を提供するという目的を以下のようにして実現した。
【００２７】
本発明の実施の形態としての実施例を図面を利用して説明する。本発明に基づくサーバコンピュータとしてのサーバ側端末Ａは、インターネットを介して外部の端末と接続可能となっている。つまり、図１に示すように、サーバ側端末Ａは、ユーザ側端末Ｂとインターネットを介して通信可能となっている。このサーバ側端末Ａは、ユーザ側端末Ｂと電気通信回線（有線及び無線を含む）により接続されているともいえる。
【００２８】
ここで、サーバ側端末Ａの構成について説明すると、サーバ側端末Ａは、図１に示すように、通信部１０と、記憶部２０と、ＣＰＵ３０とを有している。
【００２９】
ここで、通信部１０は、外部とのデータの入出力を制御するものであり、インターネットを介して外部との通信を可能とする通信装置により構成される。つまり、この通信部１０は、外部とのインターフェースとして機能するものである。
【００３０】
また、記憶部２０は、各種情報を記憶するための記憶装置であり、主として、補助記憶装置として機能する。この記憶部２０は、プログラム格納部２２と、データ格納部２４とを有している。
【００３１】
このプログラム格納部２２は、サーバ側端末Ａを動作させるための各種プログラムを格納する記憶部であり、主としてＣＰＵ３０の動作を制御するためのプログラムを格納する。特に、図５、図６に示すフローチャートに示す動作を制御するためのプログラムが格納されている。さらに、外部の端末からアクセスされた場合に所定の画面を表示させるためのプログラムである画面表示プログラムや、外部の端末における入力に基づいて受信したデータを検知するためのプログラムである入力検知プログラムや、布サンプル請求管理テーブルＴ３（図４参照）へのデータの書込みを管理するためのプログラムである管理プログラム等が挙げられる。このプログラム格納部２２は、記憶装置に各プログラムを格納した状態で構成される。
【００３２】
また、データ格納部２４は、各種データを記憶するための記憶部であり、表示データ格納部と、各種記憶テーブル等を有している。このデータ格納部２４は、具体的には、記憶装置により構成される。
【００３３】
ここで、上記表示データ格納部は、各種画像データを記憶するものであり、外部端末に表示を行うための各種表示データが記憶されている。
【００３４】
具体的には、図７〜図１６に示す各画面の画面データ等が格納されている。つまり、個別ソファ表示画面Ｇ１、生地サンプル選択用メニュー画面（以下単に「メニュー画面」とする）Ｇ２、ランク選択画面Ｇ３、生地選択画面（布サンプル選択画面としてもよい）Ｇ４、詳細画面Ｇ５、カラー種類選択画面Ｇ６、生地選択画面Ｇ７、機能・特徴選択画面Ｇ８、生地選択画面Ｇ９、生地選択画面Ｇ１０の各画面データが記憶されている。
【００３５】
また、記憶テーブルとしては、生地データテーブル（記憶手段）Ｔ１（図２参照）、価格テーブルＴ２（図３参照）、布サンプル請求管理テーブル（以下「請求管理テーブル」とする）Ｔ３（図４参照）等が記憶されている。
【００３６】
ここで、生地データテーブルＴ１は、各生地名称の生地について、ランク、シリーズ、カラー種類、カラー、特徴及び機能、お薦め順位、人気順位、画像データ等の情報が記憶される。
【００３７】
ここで、シリーズとは、ランクごとに少なくとも１つ設けられ、１つのランクに２以上のシリーズが設けられる場合もある。カラー種類とは、図１２に示されるように、ホワイト・アイボリー系、ベージュ系、ブラウン系等のカラーの種類についての情報である。また、カラーとは、カラー種類の下位概念のさらに細かい色についての情報である。また、機能及び特徴とは、ウオッシャブル、撥水加工、引っ掻きに強い、特殊加工、汚れを落としやすい、天然素材等の情報である。また、お薦め順位とは、販売者側が薦める生地についての優先順位を示すものであり、また、人気順位とは、該サーバ側端末Ａを使用して購入されたソファに用いられた生地の人気順位を示すものであり、その生地が用いられたソファの販売数に応じて順位が付与される。また、画像データは、その生地の外観の画像データである。
【００３８】
また、価格テーブルＴ２は、各ソファについて、生地名称及び仕様ごとの価格の情報を記憶したものであり、生地名称としては、そのソファに用いられる生地の名称ごとに価格が記憶され、かつ、同じ生地名称であっても、仕様（羽毛仕様かウレタン仕様か）ごとにも価格が記憶されている。
【００３９】
なお、生地データテーブルＴ１や価格テーブルＴ２に記憶されるデータについては、サーバ側端末Ａの管理者が各テーブルに記憶しておく。
【００４０】
また、請求管理テーブルＴ３は、布サンプルの請求があった場合に、請求人のデータと、請求があった布サンプルを示すデータを記憶するものであり、図４に示すように、名前、住所、電話番号、メールアドレス等の請求人データと、その請求人が請求した生地の情報が記憶される。この請求管理テーブルＴ３への登録は、ユーザが、生地を選択し、布サンプルを請求する操作を行った場合に行われる。
【００４１】
また、ＣＰＵ３０は、サーバ側端末Ａにおける各部の動作を制御するものであり、制御装置、演算装置、主記憶装置としての機能を有し、特に、プログラム格納部２２に格納された各プログラムに従い、以下に示すフローチャートに示すように動作する。
【００４２】
なお、サーバ側端末Ａは、ソファ用の布サンプルを請求することができるとともに、ソファを購入するためのサイトとしての機能も有している。
【００４３】
また、ユーザ側端末Ｂは、サーバ側端末Ａとインターネットを介して接続可能なコンピュータであり、ＣＲＴ、ＬＣＤ等の表示部や、キーボード、マウス等の入力部を備えている。
【００４４】
なお、上記サーバ側端末Ａと、ユーザ側端末Ｂとで、ソファ用サンプル提供システムＷが構成される。
【００４５】
次に、サーバ側端末Ａと、これを含むソファ用サンプル提供システムＷの動作、特に、サーバ側端末Ａにより行われるソファ用サンプル提供方法について、図５、図６等を使用して説明する。
【００４６】
なお、サーバ側端末Ａからユーザ側端末Ｂに個別ソファ表示画面Ｇ１等の各画面を表示させるに際しては、その画面の表示データ、つまり、ｈｔｍｌ形式のデータを該端末に送信して、これを受信したユーザ側端末Ｂにおいては、該表示データが表示部に表示されることとなる。
【００４７】
また、ユーザ側端末Ｂにおいて表示された各画面において、クリック等による選択入力又は書込み入力により入力されたデータは、サーバ側端末Ａに送られ、通信部１０を介してＣＰＵ３０に送られ、プログラム格納部２２に格納された、入力データを検出するための所定のプログラムである入力検知プログラムに従い、入力データの内容が検出されることとなる。なお、本出願において、「入力」の語は、特に断らない限り、選択入力、書込み入力等の全ての入力の概念を含むものとする。検出された入力データは、一時的にＣＰＵ３０で保持され、データ格納部２４に格納されることになる。また、ユーザ側端末Ｂにおいて、画面に複数のクリックボタン等の選択ボタンが表示され、いずれかの選択ボタンを選択可能となっている場合には、マウス等の入力手段により選択を行なう。
【００４８】
ユーザ側端末Ｂのユーザがユーザ側端末Ｂを用いてインターネットを介してサーバ側端末Ａにアクセスしたとする。つまり、サーバ側端末ＡのＵＲＬを指定してサーバ側端末Ａにアクセスしたとする。すると、サーバ側端末Ａにおいて運営されるソファ販売サイトに接続され、そのフロントページ（図示せず）の画面が表示される。ユーザは、該ソファ販売サイトにおいて紹介されているソファについての情報を見ることができ、複数のソファが紹介されている中から所定のソファを選択すると、図７に示すような個別ソファ表示画面Ｇ１が表示される。この個別ソファ表示画面Ｇ１は、あるソファについての各種情報が表示され、例えば、そのソファの外観の画像１０１が表示されるとともに、仕様ごとに価格が表示されている。また、この個別ソファ表示画面Ｇ１には、無料布サンプル申込み用のアイコン１０２が設けられ、このアイコン１０２をクリックすることにより、布サンプルの請求の手続に入ることができる。なお、この図７に示す個別ソファ表示画面は、ソファ名「ＮｅｗＳｕｇａｒＨｉ−Ｂａｃｋ３Ｐ」についての個別ソファ表示画面である。
【００４９】
この個別ソファ表示画面Ｇ１における無料布サンプル申込み用のアイコン１０２をクリックすると、布サンプル請求モードに入り、メニュー画面Ｇ２（図８参照）が表示される（Ｓ１１、Ｓ１２）。後述する図８〜図１６に示される画面は、布サンプル請求モードにおける画面である。
【００５０】
このメニュー画面Ｇ２においては、上部に、生地選択情報保持欄（以下「選択情報保持欄」とする）１１０が設けられるとともに、選択情報保持欄１１０の下部に、メニュー表示欄１４０が設けられ、メニュー表示欄１４０には、選択用ボタン１４１、１４３、１４５、１４７、１４９が設けられている。
【００５１】
この選択情報保持欄１１０は、ユーザにより選択された生地サンプルの情報を保持するもので、複数の選択情報表示部１２０が設けられ、この選択情報表示部１２０は、主表示部１２２と副表示部１２４とから構成されている。この主表示部１２２は、四角形状の表示部であり、生地サンプルの情報が保持されていない状態では、数字が表示され、生地サンプルの情報が保持されている状態では、生地の画像データが表示される。また、副表示部１２４は、四角形状の表示部であり、生地サンプルの情報が保持されていない状態では空欄となっていて、生地サンプルの情報が保持されている状態では、チェックマークが入った状態となる。この選択情報保持欄１１０には、計２０個の選択情報表示部１２０が設けられている。また、選択情報保持欄１１０には、ソファの外観画像を表示する表示部１２６が設けられ、さらに、選択情報保持欄１１０に保持されている生地サンプルの情報を一括して削除するための操作ボタン１２８と、選択情報保持欄１１０に保持されている生地サンプルの情報に従い生地サンプルを請求するための操作ボタン１３０が設けられている。なお、この選択情報保持欄１１０は、布サンプル請求モードにおいては、常に表示された状態となっている。
【００５２】
また、選択用ボタン１４１は、ランク、シリーズから生地を選ぶためのボタンであり、また、選択用ボタン１４３は、カラーから生地を選ぶためのボタンであり、選択用ボタン１４５は、機能及び特徴から生地を選ぶためのボタンであり、選択用ボタン１４７は、お薦めベスト２０から生地を選ぶためのボタンであり、選択用ボタン１４９は、人気ベスト２０から生地を選ぶためのボタンである。
【００５３】
ここで、選択用ボタン１４１〜１４９におけるいずれかのボタンを選択すると、選択したメニューに対応した画面、すなわち、メニュー対応選択画面が表示される（Ｓ１３、Ｓ１４）。このメニュー対応選択画面とは、図９〜図１０に示す各画面がこれに当たる。
【００５４】
すなわち、まず、選択用ボタン１４１を選択した場合について説明すると、図９に示すランク選択画面Ｇ３が表示される。このランク選択画面Ｇ３においては、上部に選択情報保持欄１１０が表示され、選択情報保持欄１１０の下側には、ランク別表示欄１５０が表示されている。
【００５５】
このランク別表示欄１５０は、ランク名ごとに、ランク数とカラーの総計と、仕様と、価格とを表示したものである。
【００５６】
このランク別表示欄１５０には、シリーズ選択用の操作ボタン１５２が設けられていて、これらの操作ボタン１５２を選択することにより、図１０に示す生地選択画面Ｇ４が表示される。
【００５７】
すなわち、生地選択画面Ｇ４は、各シリーズに設けられた生地を表示し選択するための画面であり、図１０に示すように、上部に選択情報保持欄１１０が表示され、選択情報保持欄１１０の下側には、選択したシリーズの布の材質や機能を示す説明欄１６０と、ソファ名を表示するソファ名表示欄１６２と、価格表示欄１６４とを有し、また、該シリーズにおいて選択可能な生地を表示する生地表示欄１７０が設けられている。
【００５８】
この生地表示欄１７０には、複数の個別表示欄１７２が設けられ、この個別表示欄１７２は、生地の画像を表示するための四角形状の画像表示部１７２ａと、チェックマークを入れるためのチェック入力部（チェック入力欄としてもよい）１７２ｂと、生地の名称（例えば、ＬＡ−４４７２）を表示する名称表示部１７２ｃと、生地のカラー（例えば、ＩＶ（アイボリー））を示すカラー表示部１７２ｄとを有している。
【００５９】
なお、生地表示欄１７０には個別表示欄１７２に各生地の情報が表示されるが、生地表示欄１７０の表示に際しては、ランク選択画面Ｇ３において選択したシリーズに属する生地を生地データテーブルＴ１から検出し、検出した生地のデータを個別表示欄１７２の状態で表示させる。つまり、生地表示欄１７０や、説明欄１６０や、ソファ名表示欄１６２と、価格表示欄１６４にデータが貼り付けられていない状態の生地選択画面のデータがデータ格納部２４に記憶されていて、各データを貼り付けた状態で表示用の生地選択画面とする。例えば、生地表示欄１７０には、検出した生地のデータ（生地名称、カラー、画像データ等）を貼り付ける。このようにして、表示用の生地選択画面のデータを作成する。
【００６０】
また、生地選択画面Ｇ４には、拡大生地画像表示部１８０が設けられ、各個別表示欄１７２の画像表示部１７２ａの上にカーソルを位置させることにより、画像表示部１７２ａの生地の画像を拡大して表示することができるようになっている。
【００６１】
また、生地選択画面Ｇ４には、選択情報保持欄１１０にデータを保持させるための操作ボタン１９０が設けられている。
【００６２】
つまり、この生地選択画面Ｇ４においては、個別表示欄１７２のチェック入力部１７２ｂにチェックを入れる（チェック入力部１７２ｂをクリックして選択することによりチェックが入る）ことにより生地を選択した状態で、操作ボタン１９０を選択することにより、選択された生地の情報が選択情報保持欄１１０に保持される（Ｓ２１、Ｓ２２）。選択された生地の情報を選択情報保持欄１１０に保持する際の処理は以下のように行われる。つまり、操作ボタン１９０が選択された際に生地表示欄１７０において選択されている生地が検出され、検出された各生地のデータ（つまり、生地名称のデータ）がデータ格納部２４に保持され（例えば、データ格納部２４に操作ボタン１９０を選択して生地を選択した場合に、生地のデータを一時的に格納するための一時格納テーブル（保持手段）を設けておき、該一時格納テーブルに生地データを保持しておく（保持工程））、この保持されたデータに基づき選択情報保持欄１１０の選択情報表示部１２０における主表示部１２２を、図１７に示すように、生地の画像データに置換し、副表示部１２４をチェックマークの入った状態とする。生地の画像データは、例えば、生地データテーブルＴ１から読み出して貼り付ければよい。なお、生地表示欄１７０において、複数の生地を選択した状態で、操作ボタン１９０をクリックした場合には、当然複数の生地のデータが選択情報保持欄１１０に保持される。このように、生地の画像データを表示する主表示部１２２と、チェックマークの入った副表示部１２４からなる選択情報表示部１２０が、上記「選択された生地を特定するためのデータ」に当たる。
【００６３】
以上のように、選択した生地のデータが選択情報保持欄１１０に保持されるので、ユーザは、選択情報保持欄１１０を見ることにより、自身が選択した生地を即座に知ることができる。特に、選択情報表示部１２０における主表示部１２２には、生地の画像データが表示されるので、自身が選択した生地を即座に把握することができる。また、布サンプル請求モードにおいては、常に表示されているので、布サンプル請求モードにおいては、自身が選択した生地を常に知ることができる。
【００６４】
なお、この生地選択画面Ｇ４においては、選択用ボタン１４１〜１４９を有するメニュー表示欄１４０が設けられ、いずれかの選択用ボタンを選択することにより、そのメニューを選択した場合と同様な画面が表示される。例えば、選択用ボタン１４１を選択すると、ランク選択画面Ｇ３が表示される。
【００６５】
なお、この図１０に示す生地選択画面Ｇ４は、図９に示すランク選択画面Ｇ３において「ＬＡシリーズ」の操作ボタン１５２を選択した場合の例であるが、他の操作ボタン１５２を選択した場合も、生地表示欄１７０の内容が異なるものの同様な画面が表示される。
【００６６】
なお、生地選択画面Ｇ４をユーザ側端末Ｂに表示する際に、生地選択画面Ｇ４のデータをユーザ側端末Ｂに送信するが、その際、ＣＰＵ３０、通信部１０がプログラム格納部２２に格納されたプログラムに従い動作するが、その際のＣＰＵ３０や通信部１０やプログラム格納部２２に格納されているプログラムが、上記生地選択画面データ送信手段に当たり、また、この工程が、上記生地選択画面データ送信工程に当たる。
【００６７】
また、生地選択画面Ｇ４を、選択された生地の情報を選択情報保持欄１１０に保持した状態とする際には、サーバ側端末Ａは、選択情報保持欄１１０に選択された生地の情報が保持された生地選択画面（第２生地選択画面）のデータを作成した後にユーザ側端末Ｂに送信し、その際、ＣＰＵ３０、通信部１０がプログラム格納部２２に格納されたプログラムに従い動作するが、その際のＣＰＵ３０や通信部１０やプログラム格納部２２に格納されているプログラムが、上記第２生地選択画面データ送信手段に当たり、また、この工程が、上記第２生地選択画面データ送信工程に当たる。
【００６８】
また、生地選択画面Ｇ４において、生地表示欄１７０の個別表示欄１７２における画像表示部１７２ａを選択することにより、詳細画面Ｇ５（図１１参照）が表示される。
【００６９】
この詳細画面Ｇ５においては、選択情報保持欄１１０の下側に、選択した生地についての画像データを表示する画像表示部２００が設けられている。この画像表示部２００は、画像表示部１７２ａよりも広い面積に形成され、また、画像表示部２００に表示する場合に、単位面積当たりの画像を画像表示部１７２ａの場合よりも拡大して表示させることにより、生地の外観の詳細をより詳しく表示することができる。また、詳細画面Ｇ５には、操作ボタン２１０が設けられ、この操作ボタン２１０を選択することにより、選択された生地の情報が選択情報保持欄１１０に保持される。選択された生地の情報を選択情報保持欄１１０へ保持する際の処理の方法は上記と同様である。なお、この詳細画面Ｇ５においても、上部に選択情報保持欄１１０が設けられている。
【００７０】
次に、選択用ボタン１４３を選択した場合について説明すると、図１２に示すカラー種類選択画面Ｇ６が表示される。このカラー種類選択画面Ｇ６においては、上部に選択情報保持欄１１０が表示され、選択情報保持欄１１０の下側には、カラー種類選択欄２２０がが表示されていて、カラー種類選択欄２２０には、カラーの種類をイメージさせる画像を表示する画像表示部２２２とともに、カラーの種類名称を表示した操作ボタン２２４が設けられている。この操作ボタン２２４を選択することにより、各カラー種類における詳細なカラーを表示した生地選択画面Ｇ７を表示させることができる。また、カラー種類選択画面Ｇ６の上部には、選択情報保持欄１１０が設けられている。
【００７１】
図１２に示すカラー種類選択画面Ｇ６において、複数の操作ボタン２２４におけるいずれかを選択すると、図１３に示す生地選択画面Ｇ７が表示される。
【００７２】
この生地選択画面Ｇ７においては、選択情報保持欄１１０の下側に、選択可能な生地を表示する生地表示欄１７０が設けられている。この生地表示欄１７０には、複数の個別表示欄１７２が設けられ、この個別表示欄１７２は、生地選択画面Ｇ４（図１０参照）における個別表示欄１７２と略同様の構成であるが、その生地のランクを示すランク表示部が設けられている点が異なる。すなわち、個別表示欄１７２は、四角形状の画像表示部１７２ａと、チェックマークを入れるためのチェック入力部１７２ｂと、生地の名称（例えば、ＬＡ−４４７２）を表示する名称表示部１７２ｃと、生地のカラー（例えば、ＩＶ（アイボリー））を示すカラー表示部１７２ｄと、生地のランクを示すランク表示部１７２ｅとを有している。
【００７３】
なお、生地表示欄１７０には個別表示欄１７２に各生地の情報が表示されるが、生地表示欄１７０の表示に際しては、カラー種類選択画面Ｇ６において選択したカラー種類に属する生地を生地データテーブルＴ１から検出し、検出した生地のデータを個別表示欄１７２の状態で表示させる。
【００７４】
また、生地選択画面Ｇ７には、選択情報保持欄１１０にデータを保持させるための操作ボタン１９０が設けられている。
【００７５】
つまり、この生地選択画面Ｇ７においては、個別表示欄１７２のチェック入力部１７２ｂにチェックを入れる（チェック入力部１７２ｂをクリックして選択することによりチェックが入る）ことにより生地を選択した状態で、操作ボタン１９０を選択することにより、選択された生地の情報が選択情報保持欄１１０に保持される。選択された生地の情報を選択情報保持欄１１０に保持する際の処理は上記と同様であるので詳しい説明を省略する。なお、この生地選択画面Ｇ７においても、上部に選択情報保持欄１１０が設けられている。
【００７６】
また、この生地選択画面Ｇ７においては、選択用ボタン１４１〜１４９を有するメニュー表示欄１４０が設けられ、いずれかの選択用ボタンを選択することにより、そのメニューを選択した場合と同様な画面が表示される。例えば、選択用ボタン１４１を選択すると、ランク選択画面Ｇ３が表示され、選択用ボタン１４３を選択すると、カラー種類選択画面Ｇ６が表示される。
【００７７】
なお、この図１３に示す生地選択画面Ｇ７は、図１２に示すカラー種類選択画面Ｇ６において「ホワイト・アイボリー系」の操作ボタン２２４を選択した場合の例であるが、他の操作ボタン２２４を選択した場合も、生地表示欄１７０の内容が異なるものの同様な画面が表示される。
【００７８】
次に、選択用ボタン１４５を選択した場合について説明すると、図１４に示す機能・特徴選択画面Ｇ８が表示される。この機能・特徴選択画面Ｇ８においては、上部に選択情報保持欄１１０が表示され、選択情報保持欄１１０の下側には、機能・特徴選択欄２３０が表示されていて、機能・特徴選択欄２３０には、機能・特徴ごとに選択できるシリーズが表示された操作ボタン２３２が設けられている。この操作ボタン２３２を選択することにより、各シリーズにおける生地選択画面が表示される。
【００７９】
例えば、機能・特徴選択画面Ｇ８において、「ＸランクＬＡシリーズ」を選択した場合には、図１０に示すような生地選択画面Ｇ４が表示される。生地選択画面Ｇ４の詳細はすでに説明したので、詳しい説明を省略する。なお、生地選択画面Ｇ４には、生地表示欄１７０が設けられ、生地表示欄１７０には個別表示欄１７２に各生地の情報が表示されるが、生地表示欄１７０の表示に際しては、機能・特徴選択画面Ｇ８において選択したシリーズに属する生地を生地データテーブルＴ１から検出し、検出した生地のデータを個別表示欄１７２の状態で表示させる。
【００８０】
生地選択画面Ｇ４が表示されたら、個別表示欄１７２のチェック入力部１７２ｂにチェックを入れることにより生地を選択した状態で、操作ボタン１９０を選択することにより、選択された生地の情報が選択情報保持欄１１０に保持される。
【００８１】
なお、機能・特徴選択画面Ｇ８の上部には、選択情報保持欄１１０が設けられている。
【００８２】
次に、選択用ボタン１４７を選択した場合について説明すると、図１５に示す生地選択画面Ｇ９が表示される。この生地選択画面Ｇ９においては、上部に選択情報保持欄１１０が表示され、選択情報保持欄１１０の下側には、選択可能な生地を表示する生地表示欄１７０が設けられている。この生地表示欄１７０には、複数の個別表示欄１７２が設けられ、この個別表示欄１７２は、図１３に示す生地選択画面Ｇ７と同様の構成となっている。すなわち、個別表示欄１７２は、四角形状の画像表示部１７２ａと、チェックマークを入れるためのチェック入力部１７２ｂと、生地の名称（例えば、ＬＡ−４４７２）を表示する名称表示部１７２ｃと、生地のカラー（例えば、ＩＶ（アイボリー））を示すカラー表示部１７２ｄと、生地のランクを示すランク表示部１７２ｅとを有している。
【００８３】
なお、生地表示欄１７０には個別表示欄１７２に各生地の情報が表示されるが、生地表示欄１７０の表示に際しては、生地データテーブルＴ１からお薦め順位が１から２０までの生地を検出し、検出した生地のデータを個別表示欄１７２の状態で表示させる。
【００８４】
また、生地選択画面Ｇ７には、選択情報保持欄１１０にデータを保持させるための操作ボタン１９０が設けられている。
【００８５】
つまり、この生地選択画面Ｇ９においては、個別表示欄１７２のチェック入力部１７２ｂにチェックを入れる（チェック入力部１７２ｂをクリックして選択することによりチェックが入る）ことにより生地を選択した状態で、操作ボタン１９０を選択することにより、選択された生地の情報が選択情報保持欄１１０に保持される。選択された生地の情報を選択情報保持欄１１０に保持する際の処理は上記と同様であるので詳しい説明を省略する。なお、この生地選択画面Ｇ７においても、上部に選択情報保持欄１１０が設けられている。
【００８６】
また、この生地選択画面Ｇ７においては、選択用ボタン１４１〜１４９を有するメニュー表示欄１４０が設けられ、いずれかの選択用ボタンを選択することにより、そのメニューを選択した場合と同様な画面が表示される。例えば、選択用ボタン１４１を選択すると、ランク選択画面Ｇ３が表示され、選択用ボタン１４３を選択すると、カラー種類選択画面Ｇ６が表示される。
【００８７】
次に、選択用ボタン１４９を選択した場合について説明すると、図１６に示す生地選択画面Ｇ１０が表示される。この生地選択画面Ｇ１０は、生地選択画面Ｇ９と同様の構成であり、生地表示欄１７０の個別表示欄１７２への表示に際して、生地データテーブルＴ１から人気順位が１から２０までの生地を検出し、検出した生地のデータを個別表示欄１７２の状態で表示させる点が異なる。このように、お薦め順位ではなく人気順位に従い表示を行なう点以外は、生地選択画面Ｇ９と同様であるので、詳しい説明を省略する。
【００８８】
なお、布サンプル請求モードの状態にある場合には、画面を変更していっても、選択情報保持欄１１０に保持されたデータはそのまま保持され、データを保持する生地を追加していくと、選択情報保持欄１１０には、２０個の選択情報表示部１２０が設けられているので、最大２０個までデータが保持されていく。
【００８９】
例えば、生地選択画面Ｇ４で２つの生地の選択を行い、生地のデータが選択情報保持欄１１０に保持された状態で、次に、生地選択画面Ｇ４におけるメニュー表示欄１４０の選択用ボタン１４３を選択して、カラー種類選択画面Ｇ６を表示し、その後、操作ボタン２２４を選択して、生地選択画面Ｇ７を表示し、この生地選択画面Ｇ７において生地を選択した場合には、選択情報保持欄１１０における３番目の選択情報表示部１２０に表示が行われることになる。
【００９０】
そして、選択情報保持欄１１０にデータが保持された状態で、選択情報保持欄１１０における操作ボタン１３０（すなわち、「生地サンプルを請求する」の操作ボタン）を選択すると、請求人を特定するための情報を入力するための入力画面（図示せず）を表示させる。請求人を特定するための情報としては、名前、住所、電話番号、メールアドレス等であり、布サンプル請求管理テーブルＴ３の請求人データに登録される情報を入力するための入力画面である。
【００９１】
該入力画面には、生地サンプルを請求するための操作ボタンが設けられているので、ユーザがこの操作ボタンを選択することにより、布サンプル請求管理テーブルＴ３に登録が行われる（Ｓ１５、Ｓ１６）。すなわち、データ格納部２４に保持されていた生地のデータとともに、上記入力画面で入力された請求人のデータが、布サンプル請求管理テーブルＴ３に登録される。つまり、生地については、選択情報保持欄１１０に保持されていたデータに対応するデータが、布サンプル請求管理テーブルＴ３に登録されることになる。
【００９２】
このように布サンプル請求管理テーブルＴ３に登録する際に、ＣＰＵ３０、通信部１０がプログラム格納部２２に格納されたプログラムに従い動作するが、その際のＣＰＵ３０や通信部１０やプログラム格納部２２に格納されているプログラムが、上記登録手段に当たり、また、この工程が、上記登録工程に当たる。
【００９３】
サーバ側端末Ａの管理者は、この布サンプル請求管理テーブルＴ３に登録されている内容に従い、布サンプルを請求人に送る。すると、請求人は、布サンプルを手にすることにより、実際のソファを十分にイメージすることが可能となる。
【００９４】
また、特に、選択した生地のデータを選択情報保持欄１１０に表示して保持しておき、最終的に生地のサンプルを請求するので、いわばバスケットに、選択した生地のデータを入れておくような状態とすることができ、自身が選択した生地を常に確認することができ、同じ生地を重複して請求したり、希望の生地を請求し忘れたりすることがない。
【図面の簡単な説明】
【００９５】
【図１】本発明の実施例に基づくサーバー側端末と、これを含むソファ用サンプル提供システムの構成を示すブロック図である。
【図２】生地データテーブルの構成を示す説明図である。
【図３】価格テーブルの構成を示す説明図である。
【図４】布サンプル請求管理テーブルの構成を示す説明図である。
【図５】サーバー側端末の動作を説明するフローチャートである。
【図６】図５におけるステップＳ１４のサブルーチンを示すフローチャートである。
【図７】個別ソファ表示画面を示す説明図である。
【図８】メニュー画面を示す説明図である。
【図９】ランク選択画面を示す説明図である。
【図１０】生地選択画面を示す説明図である。
【図１１】詳細画面を示す説明図である。
【図１２】カラー種類選択画面を示す説明図である。
【図１３】生地選択画面を示す説明図である。
【図１４】機能・特徴選択画面を示す説明図である。
【図１５】生地選択画面を示す説明図である。
【図１６】生地選択画面を示す説明図である。
【図１７】生地サンプルの情報を保持する場合の選択方法表示部の表示の変化を示す説明図である。
【符号の説明】
【００９６】
Ａ  サーバ側端末
Ｂ  ユーザ側端末
１０  通信部
２０  記憶部
２２  プログラム格納部
２４  データ格納部
３０  ＣＰＵ
Ｔ１  生地データテーブル
Ｔ２  価格テーブル
Ｔ３  布サンプル請求管理テーブル
Ｇ１  個別ソファ表示画面
Ｇ２  メニュー画面
Ｇ３  ランク選択画面
Ｇ４、Ｇ７、Ｇ９、Ｇ１０  生地選択画面
Ｇ５  詳細画面
Ｇ６  カラー種類選択画面
Ｇ８  機能・特徴選択画面
【図１】
2008065568.tif 000003
【図２】
2008065568.tif 000004
【図３】
2008065568.tif 000005
【図４】
2008065568.tif 000006
【図５】
2008065568.tif 000007
【図６】
2008065568.tif 000008
【図７】
2008065568.tif 000009
【図８】
2008065568.tif 000010
【図９】
2008065568.tif 000011
【図１０】
2008065568.tif 000012
【図１１】
2008065568.tif 000013
【図１２】
2008065568.tif 000014
【図１３】
2008065568.tif 000015
【図１４】
2008065568.tif 000016
【図１５】
2008065568.tif 000017
【図１６】
2008065568.tif 000018
【図１７】
2008065568.tif 000019